(57)【特許請求の範囲】
【請求項１】
外周部に鍵挿入部が形成され、蓋裏側にこの鍵挿入部を塞ぐように付勢された弁体が揺動可能に取り付けられていると共に、前記弁体の下側には地下構造物の内面に形成された係止部に係合するロック手段が形成されている地下構造物用蓋であって、
前記弁体は弾性体の弾性力に抗して水平方向後方に移動できるように取り付けられていると共に前記弾性体によって閉塞方向及び水平方向前方へ付勢されていることを特徴とする地下構造物用蓋。
【請求項２】
前記弁体には左右一対の支持ピンが設けられ、この支持ピンは前記弁体の揺動中心となるように、蓋裏側に設けられた左右一対のブラケットにより構成された支持溝に回転可能にはまり込んでいて、
さらに、前記支持ピンが前記弾性体の弾性力に抗して水平方向後方にスライドできるように、前記支持溝は水平方向後方に延びている、ことを特徴とする請求項１記載の地下構造物用蓋。
【請求項３】
前記支持溝の高さは、前記支持ピンの径とほぼ等しく設定されている、ことを特徴とする請求項２記載の地下構造物用蓋。
【請求項４】
前記弾性体は、一端部及び他端部の間に一対のコイル部を有するダブルトーションスプリングであり、
一対の前記コイル部はそれぞれ、前記支持ピンの外周に嵌められ、前記一端部は前記蓋裏側に取り付けられ、前記他端部は前記弁体に取り付けられていて、
前記弁体は、前記ダブルトーションスプリングの前記他端部により閉塞方向に回転するように付勢され、前記ダブルトーションスプリングの前記一端部と前記コイル部との間の部分の変形により水平方向前方に付勢される、ことを特徴とする請求項１、２又は３記載の地下構造物用蓋。
【発明の詳細な説明】
【０００１】
【発明の属する技術分野】
本発明は、マンホール用蓋のような地下構造物用蓋に関し、特に、蓋裏側に鍵挿入部を閉塞する弁体が揺動可能に取り付けられている地下構造物用蓋に関する。
【０００２】
【従来の技術】
地下構造物用蓋としては外周部に切欠き状等の鍵挿入部（バール孔）を形成したものが広く使用されていて、この地下構造物用蓋を用いている場合には、地下構造物の開口部にはめ込まれている蓋の鍵挿入部に鉤棒（バール）の先端を挿入して蓋裏面に引っかけ、この蓋を持ち上げて開けることにより地下構造物の開口部を開放することができる。そして、蓋が簡単に開けられるのを防ぐために、また土砂等が地下構造物内に大量に流れ込まないように、弁蓋を有する弁体を用い、弁蓋が鍵挿入部を塞ぐようにこの弁体を地下構造物用蓋の裏面側に取り付けたものが多く採用されている。この場合には、弁体を地下構造物用蓋の裏側に揺動可能に取り付けるとともに、弁蓋が鍵挿入部を塞ぐように弁体を付勢しておき、通常時には弁蓋が鍵挿入部を閉塞するような揺動状態となるように構成しておく必要がある。付勢は弁体にウェイトを設けることのみにより行う場合もあるが、より確実に鍵挿入部を塞ぐために、地下構造物用蓋の裏側及び弁体間にバネ手段等の弾性体を配置し、弁体に鍵挿入部閉塞方向の弾性力を作用させる場合が多い。鍵挿入部を閉塞している弁蓋を鉤棒の先端で押して付勢力に抗して弁蓋を押し下げることにより鍵挿入部は開放され、鍵挿入部内に鉤棒の先端を挿入することができる。弁体にはまた、地下構造物用蓋が地下構造物内の圧力の異常上昇などにより大きく浮き上がらないようにロック手段が形成されることが多く、このロック手段は、弁体が閉塞状態のときに地下構造物用蓋の受枠（地下構造物）に形成された係止部と係合状態となるように弁体の下側に設けられた鉤状突起であるのが普通であって、この鉤状突起は弁蓋の押し下げにより後方に回転移動して係止部に対し係合解除状態となる。
【０００３】
【発明が解決しようとする課題】
ところで、土砂などの流れ込み等を十分に防止するためには、弁蓋が鍵挿入部を完全に又はほぼ完全に閉塞するように構成するのが好ましい。しかしながら、地下構造物用蓋の蓋受枠に対する閉塞構造は、蓋受枠の上側内周面を下方内側へのテーパ面として形成し、蓋の外周面を蓋受枠の上側内周面に隙間なくはまり込むように下方内側へのテーパ面として形成して構成されるのが普通である。したがって、例えば鍵挿入部が蓋の外周部に形成された切欠き状の鍵孔である場合に、弁蓋が鍵挿入部を全面的に又はほぼ全面的に閉塞するように、すなわち、閉塞時に弁蓋の先端（あるいは外端）が蓋受枠の上側内周面と接近するように構成しておくと、押し下げ時に弁蓋の先端が蓋受枠の上側内周面と接触あるいは衝突してそれ以上弁蓋を押し下げることができなくなってしまう。鍵挿入部が切欠き状ではなく、穿孔状の鍵孔である場合にも、この鍵孔を全面的に又はほぼ全面的に閉塞するように構成すると、押し下げ時に弁蓋の先端が鍵孔の内周面の外側部又は外側壁と接触あるいは衝突することがある。このような事情があるために、弁体を有する地下構造物用蓋は、例えば鍵挿入部が切欠き状の鍵孔である場合には、閉塞時に弁蓋の先端と蓋受枠の上側内周面との間に比較的大きい隙間が形成されるように構成されているので、土砂等の流入を十分に防止できる構造とはなっていない。
【０００４】
また、蓋受枠に形成された係止部と係合する鉤状突起などのロック手段を弁体の下側に設ける場合には、地下構造物用蓋を開けて閉めるときにロック手段の先端部下面（先端に向かって上昇するように、あるいは外側上方に傾斜するように形成されるのが普通である）が蓋受枠の上縁部と当接し蓋が閉まらなくなるおそれがある。蓋が閉まらなくなった場合には、蓋を多少持ち上げてロック手段を内側に、すなわち開放方向あるいは解除方向に回転させ、再び蓋を閉めるという煩雑な作業が必要となる。
【０００５】
そこで、本発明は弁蓋が鍵挿入部を全面的に又はほぼ全面的に閉塞するように構成しても、鍵挿入部の開放作業に支障が生じることがないような、あるいは弁体にロック手段を構成しても地下構造物の開口部閉塞作業が煩わしいものとはならないような地下構造物用蓋を提供することを目的とする。
【０００６】
【課題を解決するための手段】
この目的を達成するための本発明の地下構造物用蓋は、外周部（外側部）に鍵挿入部が形成され、蓋裏側にこの鍵挿入部を塞ぐように付勢された弁体が揺動可能に取り付けられていると共に、前記弁体の下側には地下構造物の内面に形成された係止部に係合するロック手段が形成されている地下構造物用蓋であって、前記弁体は弾性体の弾性力に抗して水平方向後方に移動できるように取り付けられていると共に前記弾性体によって閉塞方向及び水平方向前方へ付勢されていることを特徴とするものである。鍵挿入部を開放するために弁体の弁蓋上面を押して弁体を揺動させると、弁体は揺動にしたがって水平方向後方へ移動するので、弁蓋が鍵挿入部を完全に又はほぼ完全に閉塞するように構成しても、弁蓋の先端と蓋受枠の内周面などとが当接して鍵挿入部の開放に支障が生じるといった事態は発生しない。また、本発明では、弁体を開放方向に揺動させると弁蓋の先端が蓋受枠の内周面などに当接するが、弁蓋を押し続ければ、蓋受枠の内周面などに押されて弁体が水平方向後方に移動し、同時に開放方向に回転又は揺動するというように構成することもできる。弁体はウェイト又は／及び弾性体により鍵挿入部を閉塞する方向に付勢されるが、水平方向後方に移動させてから押し下げ力を解除すればもとの位置に前進するように、あるいはもとの位置まで外側に移動するように、少なくとも後方移動時には弾性体によって水平方向前方に付勢されていることが必要である。弁体を閉塞方向に付勢するのに弾性体を用いる場合であっても、水平方向前方又は外側への付勢にこの弾性体とは別の弾性体を用いることも可能ではあるが、弁体取付構造を簡単なものとするために、同一の弾性体によって閉塞方向及び水平方向前方への付勢を行うように構成するのが効果的である。
【０００７】
本発明における弁体の取付構造はより具体的には、弁体に左右一対の支持ピンを設け、この支持ピンを弁体の揺動中心となるように、蓋裏側に設けられた左右一対のブラケットに回転可能にはめ込み、さらに、支持ピンが弾性体の弾性力に抗して水平方向後方にスライドできるように構成する。このような取付構造は簡単な構造であり、かつ弁体の安定した作動を確保する。支持ピンを簡単な構造で水平方向後方へスライドできるようにするためには、ブラケットに後方に延びる（具体的には水平方向後方に、あるいは直線的に後方に延びる）溝（凹部）又は孔あるいはガイドを設けておき、支持ピンがこの溝又は孔あるいはガイドに沿って回転可能な状態で移動（具体的には水平方向に移動、あるいは水平方向に直線的に移動）できるように構成する。例えば、支持ピンを左右一対のブラケットにより構成された水平方向後方に延びる支持溝に回転可能にはめ込む。支持溝の高さは、例えば、支持ピンの径とほぼ等しく設定される。また、例えば、弾性体を、一端部及び他端部の間に一対のコイル部を有するダブルトーションスプリングとし、一対のコイル部をそれぞれ、支持ピンの外周に嵌めるとともに、一端部を蓋裏側に取り付け、他端部を弁体に取り付ける。そして、弁体が、ダブルトーションスプリングの他端部により閉塞方向に回転するように付勢され、ダブルトーションスプリングの一端部とコイル部との間の部分の変形により水平方向前方に付勢されるように構成する。
【０００８】
また、本発明では、弁体に鉤状突起などのロック手段が設けられるが、ロック手段が蓋受枠の上縁部と当接しても、弁体は後方に移動してロック手段と蓋受枠の上縁部との係合状態が自動的に解除されるか、または地下構造物用蓋を踏みつけることにより弁体を後方に移動させて係合状態を簡単に解除できる。なお、本発明における弁体の取付構造は、ロック手段が蓋受枠と当接することによる不都合を解消することのみ、あるいはその他の課題を解決することのみを目的として構成される場合もある。
【０００９】
【発明の実施の形態】
以下、本発明の実施の形態を図面を参照して説明する。
【００１０】
図１は本発明が適用されたマンホール用蓋をマンホール構造物に取り付けた状態を示す断面図、図２はマンホール用蓋の弁体取付部分の拡大図である。
【００１１】
マンホール用蓋１（地下構造物用蓋）の蓋本体３は、外周に下方に延びる短いほぼ筒状の縁枠５及び裏面側に補強リブ７が一体的に形成された薄肉の円盤体に構成されている。蓋本体３の縁枠５の外周面は下方内側に傾斜するテーパ面として形成されていて、蓋本体３は、蓋受枠９（マンホール構造物：地下構造物）の下方に向かって内側に傾斜するテーパ面として形成されている上側内周面に囲まれた開口部にはめ込まれている。蓋本体３の裏面側外周部（外側部）には蝶番１１が取り付けられていて、この蝶番１１は蓋受枠９の内周面に設けられた蝶番受け１３の挿入孔１５内に差し込まれている。蝶番１１は上端部両側に支持用ピン１７を有していて、この支持用ピン１７が蓋本体３の裏面に設けられたブラケット１９に回転又は回動可能に支えられることにより蝶番１１は蓋本体３に揺動可能に取り付けられている。蓋本体３の外周部（外側部）には、蝶番１１と反対側に切欠き状の鍵孔２１（鍵挿入部）が形成されていて、蓋本体３の裏面側にはこの鍵孔２１を下側から塞ぐ弁体２３が揺動可能に取り付けられている。弁体２３は鍵孔２１を開閉する弁蓋２５と、この弁蓋２５の下側に設けられた支持部２７と、蓋受枠９に設けられた係止部２９に係合してマンホール用蓋１の浮き上がりを防止する鉤状突起３１とから構成されていて、支持部２７の両側には支持ピン３３が形成され、この支持ピン３３が蓋本体３の裏面に一体的に形成されたブラケット３５により構成されている支持溝又は支持凹部３７（横溝）に回転又は回動可能にはまり込んで支えられている（図３も参照：図３は支持ピン３３の支持溝３７へのはまり込み状態を示す図）。弁蓋２５はほぼ完全に、すなわち弁蓋２５と蓋受枠９の上側内周面との間、及び弁蓋２５と鍵孔２１の後壁（内側壁又は後側内面）との間にそれぞれ僅かな隙間が設けられる状態で鍵孔２１を閉塞している。
【００１２】
弁体２３と蓋本体３との間にはダブルトーションスプリング３９（弾性体）が配置され、このダブルトーションスプリング３９のスプリング力（弾性力）により弁体２３は弁蓋２５が鍵孔２１を塞ぐ方向に常に付勢されている（矢印Ａ参照）。ダブルトーションスプリング３９の連続側一端部４１は、蓋本体３の裏面に一体的に設けられた取付部４３の外側面（鍵孔２１側の面）に形成されているはめ込み細溝又ははめ込み小凹部４５内にはめ込まれて取り付けられていて、取付部４３を貫通するボルト４７の頭部と取付部４３の外側面との間に挟まれたワッシャ４９が連続側一端部４１のはめ込み細溝４５からの脱落を防止している。ダブルトーションスプリング３９の両コイル部５１はそれぞれ、支持ピン３３の外側にはめられ、一対の他端部５３はそれぞれ、弁蓋２５と支持部２７との間に形成されている左右両側のはめ込み細溝５５内にはめ込まれて取り付けられている。ダブルトーションスプリング３９のコイル部５１と連続側一端部４１との間の連結部５７は、支持ピン３３の後方への移動に対して適度なバネ力を作用させることができるように長く形成されている。なお、図１中５９は蝶番１１の中間部に形成され、蝶番受け１３と係合して蓋本体３の浮き上がりを防止する鉤状突起、６１は蝶番１１の下端部に形成された抜け止め突起であり、この抜け止め突起６１が蝶番受け１３に係合することにより、蓋開放時の蓋本体３と蓋受枠９との連結が保持される。
【００１３】
図４は弁蓋２５を開けた状態を示す図である。
【００１４】
マンホール用蓋１を開けて蓋受枠９の開口部を開放するには、鍵孔２１に鍵棒６３の先端部を挿入して弁蓋２５を押し下げ、鍵棒６３を適当に回転させて引っかけ部６５を鍵孔２１の裏面側周辺両側部に引っかけ、蝶番１１側を中心としてマンホール用蓋１を上方に回転させる。弁蓋２５を押し下げると、弁蓋２５の先端が蓋受枠９の上側内周面と接触するが、引き続き弁蓋２５に押し下げ力を加えると、支持ピン３３はダブルトーションスプリング３９のスプリング力に抗してブラケット３５により構成される支持溝３７に沿って後方にスライドするので（矢印Ｂ参照）、弁蓋２５が鍵孔２１を十分開放するまで弁体２３を揺動させることができる。なお、弁蓋２５を押し下げると、蓋受枠９の上側内周面と接触しなくても、弁体２３はダブルトーションスプリング３９のスプリング力に抗して後方に多少スライドするので、弁蓋２５の先端が蓋受枠９の上側内周面と適当な間隔を開けた状態で下降するように構成することができる。支持溝３７の高さ、すなわち、支持ピン３３が摺動する支持溝３７の下面６９（水平方向に延びている）と支持溝３７の上面７１（蓋本体３の裏面）との間隔は、支持ピン３３の径とほぼ等しく形成され、支持ピン３３と支持溝３７の上面７１との間には僅かな隙間しかないので、弁体２３はほぼ水平方向に移動することとなり、弁体２３の前後方向の移動は円滑に行われることとなる。そして、鍵棒６３を鍵孔２１から引き抜くと、ダブルトーションスプリング３９のスプリング力によって弁体２３は閉塞方向に揺動することとなるが、支持ピン３３もダブルトーションスプリング３９のスプリング力によってブラケット３５により構成されている支持溝３７に沿って溝の先端壁６７（図３参照）に当接するまで前方にスライドするので、弁蓋２５は鍵孔２１をほぼ完全に閉塞する位置に復帰する。
【００１５】
図５はマンホール用蓋１による閉塞過程を説明する図である。
【００１６】
マンホール用蓋１を手で支えて蝶番１１側を中心として回転させ、蓋受枠９の開口部を閉塞する場合には、鉤状突起３１の先端部下面が蓋受枠９の上縁部又は上側内周面と当接してマンホール用蓋１が閉まらない状態となることがある。この場合に、マンホール用蓋１の上面を足で踏みつけると、支持ピン３３がダブルトーションスプリング３９のスプリング力に抗して後方に移動し（矢印Ｂ参照）、したがって鉤状突起３１は蓋受枠９の上端縁、上側内周面を擦りながら後方に移動するので、マンホール用蓋１は蓋受枠９の開口部内にはまり込み、開口部を閉塞することとなる（図１の状態）。
【００１７】
【発明の効果】
以上説明したように、本発明によれば、鍵挿入部のスムーズな開放作業を損なうことがなく、しかも鍵挿入部を弁体で全面的又はほぼ全面的に閉塞しておくことができる地下構造物用蓋を提供できる。
【００１８】
また、本発明によれば、地下構造物の開口部閉塞時に蓋受枠の上縁部と当接するようなロック手段を設けても、閉塞作業が煩わしいものとはならない地下構造物用蓋を提供できる。
【図面の簡単な説明】
【図１】本発明が適用されたマンホール用蓋をマンホール構造物に取り付けた状態を示す断面図である。
【図２】マンホール用蓋の弁体取付部分の拡大図である。
【図３】支持ピンの支持溝へのはまり込み状態を示す図である。
【図４】弁蓋を開けた状態を示す図である。
【図５】マンホール用蓋による閉塞過程を説明する図である。
【符号の説明】
１                マンホール用蓋（地下構造物用蓋）
９                蓋受枠（地下構造物）
２１              鍵孔（鍵挿入部）
２３              弁体
２９              係止部
３１              鉤状突起（ロック手段）
３３              支持ピン
３５              ブラケット
３９              ダブルトーションスプリング（弾性体）
【図１】
0004524036.tif 000002
【図２】
0004524036.tif 000003
【図３】
0004524036.tif 000004
【図４】
0004524036.tif 000005
【図５】
0004524036.tif 000006